(57)【要約】【課題】プロジェクタ利用者に外部の異常状態を報知する。【解決手段】映像を画面出力する映像再生手段と、  音声を出力する音声再生手段と、  演算手段と、  ユーザーが操作信号を入力する入力手段と、  異常状態である旨を外部に報知する１ないし複数の報知手段を備え、  前記演算手段は、異常信号を検出すると、前記報知手段に異常報知指示を出し、  前記報知手段は、前記異常報知指示に従って異常状態である旨を報知することを特徴とする。【選択図】図１
2007226006.tif 000002
【特許請求の範囲】
【請求項１】
映像を画面出力する映像再生手段と、
音声を出力する音声再生手段と、
演算手段と、
ユーザーが操作信号を入力する入力手段と、
異常状態である旨を報知する１ないし複数の報知手段を備え、
前記演算手段は、異常信号を検出すると、前記報知手段に異常報知指示を出し、
前記報知手段は、前記異常報知指示に従って異常状態である旨を報知することを特徴とするプロジェクタ。
【請求項２】
前記異常信号には、異常の度合いを示す異常レベル信号が含まれており、
前記演算手段は、前記異常レベル信号に対応した異常報知指示を前記報知手段に出すことを特徴とする請求項１に記載のプロジェクタ。
【請求項３】
前記異常信号を受信するＬＡＮインターフェースを備え、
前記異常信号は、ＬＡＮを介してセキュリティセンサから送信されたセキュリティ信号であり、
前記演算手段は、該セキュリティ信号を検出すると、前記報知手段に異常報知指示を出すことを特徴とする請求項１ないし請求項２のいずれかに記載のプロジェクタ。
【請求項４】
前記報知手段として前記映像再生手段を用い、
前記演算手段は、
前記異常信号を検出すると、該異常信号に対応した指示を前記映像再生手段に出し、前記映像再生手段は該指示に従って異常状態である旨を画面出力することを特徴とする請求項１ないし請求項３のいずれかに記載のプロジェクタ。
【請求項５】
前記報知手段として前記音声再生手段を用い、
前記演算手段は、
前記異常信号を検出すると、該異常信号に対応した指示を前記音声再生手段に出し、前記音声再生手段は該指示に従って異常状態である旨を音声出力することを特徴とする請求項１ないし請求項４のいずれかに記載のプロジェクタ。
【請求項６】
前記異常の度合いを示す異常レベルと、該異常レベルに対応した前記報知手段の報知方法との対応関係を格納する記憶手段を備え、
前記演算手段は、前記対応関係に基づき異常報知指示を前記報知手段に出すことを特徴とする請求項１ないし請求項５のいずれかに記載のプロジェクタ。
【請求項７】
前記演算手段は、
前記入力手段の入力に基づき、前記対応関係を前記記憶手段に格納することを特徴とする請求項６に記載のプロジェクタ。
【請求項８】
前記演算手段は、
同一の異常レベル状態が所定時間継続すると、前記対応関係を参照し、次の上位異常レベルに対応した異常報知指示を前記報知手段に出すことを特徴とする請求項６又は請求項７に記載のプロジェクタ。
【請求項９】
前記記憶手段は、前記異常レベル間の推移時間を前記異常レベル毎に格納しており、
前記所定時間は該推移時間とすることを特徴とする請求項８に記載のプロジェクタ。
【請求項１０】
前記記憶手段は、異常履歴情報を格納しており、
前記演算手段は、前記入力手段の入力に基づき前記映像再生手段に指示を出し、前記映像再生手段は該指示に基づき前記異常履歴情報を画面出力することを特徴とする請求項６ないし請求項９のいずれかに記載のプロジェクタ。
【請求項１１】
前記異常信号には、該異常信号の送信元情報と、異常状態に関する情報が含まれており、
前記演算手段は、前記送信元情報と前記異常状態に関する情報に対応した異常報知指示を前記報知手段に出すことを特徴とする請求項１ないし請求項１０のいずれかに記載のプロジェクタ。
【請求項１２】
ＬＡＮパケットを送信するためのパケット送信手段を備え、
前記報知手段として前記送信手段を用い、
前記演算手段は、前記異常信号を検出した後、前記入力手段より前記異常状態が回避された旨の入力が一定時間ない場合には、前記パケット送信手段に指示を出し、
前記パケット送信手段は、該指示に従い所定の通知パケットをＬＡＮに送信することを特徴とする請求項６ないし請求項１１のいずれかに記載のプロジェクタ。
【請求項１３】
前記記憶手段は、前記異常レベルと前記通知パケットの送信先アドレスの関係を示す情報を格納しており、
前記演算手段は、前記パケット送信手段に前記通知パケット送信指示を出す際には、
前記異常レベルと前記通知パケットの送信先アドレスの関係を示す情報を参照し、
該情報に基づき前記パケット送信手段に前記通知パケット送信指示を出すことを特徴とする請求項１２に記載のプロジェクタ。
【請求項１４】
前記演算手段は、
前記入力手段の入力に基づき、前記異常レベルと前記通知パケットの送信先アドレスの関係を示す情報を前記記憶手段に格納することを特徴とする請求項１３に記載のプロジェクタ。
【請求項１５】
前記報知手段は、前記入力手段より前記異常状態が回復された旨の入力があると報知を終了することを特徴とする請求項１ないし請求項１４のいずれかに記載のプロジェクタ。
【発明の詳細な説明】
【技術分野】
【０００１】
本発明は、プロジェクタに関するものである。
【背景技術】
【０００２】
従来、『遠隔感知機能が追加されたホームゲートウェイ及び遠隔感知通報方法』に関するものとして、『インターネットのサービス提供者が提供したインターネットサービスまたは危検感知信号と装置の固有識別子を送受信するインターネット接続インターフェースと、感知された危検信号に該当するメッセージと、装置の固有識別子と、ソフトウェアプログラムとを貯蔵する記憶装置と、記憶装置のソフトウェアプログラムが実現される中央制御装置と、プログラムで処理された信号をホームネットワーク信号に合わせて変換して家庭用のネットワークを構成する装置に信号を送受信する家庭用の送受信インターフェースとを含む。』というものが提案されている（特許文献１）。
【特許文献１】特開２００２−５８０７６号公報（要約）
【発明の開示】
【発明が解決しようとする課題】
【０００３】
昨今、防音処理等を施した専用ルームを家庭内に設け、ホームシアター設備として映像・音声等を視聴することができる環境が増えてきている。このようなホームシアター設備においては、映像投射機としてプロジェクタを利用することがしばしば行われる。
しかしながら、防音処理等を施した専用ルーム内で大音量の音声視聴を行っている場合等には、専用ルーム外で異常事態（火災、不法侵入等）が発生してもこれに気付かないことが想定される。また、かかる異常事態に備えてセンサ設備等を家庭内に備えていても、専用ルーム内で視聴等を行っている際には、これらセンサ設備等からの異常事態報知に気付かず、迅速な対応ができない場合も想定される。
本発明は、上記のような場合に、プロジェクタ利用者へ専用ルーム外の異常事態を知らせることができるプロジェクタを得ることを目的とする。
【課題を解決するための手段】
【０００４】
本発明に係るプロジェクタは、映像を画面出力する映像再生手段と、音声を出力する音声再生手段と、演算手段と、ユーザーが操作信号を入力する入力手段と、異常状態である旨を外部に報知する１ないし複数の報知手段を備え、前記演算手段は、異常信号を検出すると、前記報知手段に異常報知指示を出し、前記報知手段は、前記異常報知指示に従って異常状態である旨を報知する。
そのため、プロジェクタによる視聴中に異常状態を検知したことを視聴者に通知することができ、利用者に迅速な対応を促すことができる。
【０００５】
また、本発明に係るプロジェクタにおいては、前記異常信号には、異常の度合いを示す異常レベル信号が含まれており、前記演算手段は、前記異常レベル信号に対応した異常報知指示を前記報知手段に出す。
そのため、異常の程度に応じた適切な報知手段をとることができ、異常レベルが高い場合には迅速な対応を促し、異常レベルが低い場合には注意程度に留めること等により、視聴者の使い勝手を不要に損うことがない。
【０００６】
また、本発明に係るプロジェクタにおいては、前記異常信号を受信するＬＡＮインターフェースを備え、前記異常信号は、ＬＡＮを介してセキュリティセンサから送信されたセキュリティ信号であり、前記演算手段は、該セキュリティ信号を検出すると、前記報知手段に異常報知指示を出す。
そのため、ＬＡＮパケットによる異常信号を受信することができ、接続対象機器の選択肢が広い。また、容易に受信手段を構成でき、コスト等の面で有利である。また、外部セキュリティセンサ設備からの異常検知通知をプロジェクタ利用者に通知することができ、危険状態に対する迅速な対応を促すことができる。
【０００７】
また、本発明に係るプロジェクタは、前記報知手段として前記映像再生手段を用い、前記演算手段は、前記異常信号を検出すると、該異常信号に対応した指示を前記映像再生手段に出し、前記映像再生手段は該指示に従って異常状態である旨を画面出力する。
そのため、プロジェクタ利用者は視聴中の画面で異常状態を把握することができる。
【０００８】
また、本発明に係るプロジェクタは、前記報知手段として前記音声再生手段を用い、前記演算手段は、前記異常信号を検出すると、該異常信号に対応した指示を前記音声再生手段に出し、前記音声再生手段は該指示に従って異常状態である旨を音声出力する。
そのため、プロジェクタ利用者が画面から目を離しているとき（睡眠中等の場合）でも、異常状態を利用者に通知することができる。
【０００９】
また、本発明に係るプロジェクタは、前記異常の度合いを示す異常レベルと、該異常レベルに対応した前記報知手段の報知方法との対応関係を格納する記憶手段を備え、前記演算手段は、前記対応関係に基づき異常報知指示を前記報知手段に出す。
そのため、異常レベルと報知方法との関係をプロジェクタ内で保持でき、異常信号の内容を問わず、異常レベルに応じた適切な報知方法をとることができる。
【００１０】
また、本発明に係るプロジェクタにおいては、前記演算手段は、前記入力手段の入力に基づき、前記対応関係を前記記憶手段に格納する。
そのため、プロジェクタ利用者は任意の異常報知方法を設定することができ、利用者の使い勝手を向上させることができる。
【００１１】
また、本発明に係るプロジェクタにおいては、前記演算手段は、同一の異常レベル状態が所定時間継続すると、前記対応関係を参照し、次の上位異常レベルに対応した異常報知指示を前記報知手段に出す。
そのため、利用者が異常状態に対応した旨の入力がない場合、徐々に報知方法を変化させ、利用者に確実な対応を促すことができる。
【００１２】
また、本発明に係るプロジェクタにおいては、前記記憶手段は、前記異常レベル間の推移時間を前記異常レベル毎に格納しており、前記所定時間は該推移時間とする。
そのため、プロジェクタ利用者は任意の異常報知方法を設定することができ、利用者の使い勝手を向上させることができる。
【００１３】
また、本発明に係るプロジェクタにおいては、前記記憶手段は、異常履歴情報を格納しており、前記演算手段は、前記入力手段の入力に基づき前記映像再生手段に指示を出し、前記映像再生手段は該指示に基づき前記異常履歴情報を画面出力する。
そのため、過去の異常履歴閲覧により、利用者に安全意識の向上を促すことができる。
【００１４】
また、本発明に係るプロジェクタにおいては、前記異常信号には、該異常信号の送信元情報と、異常状態に関する情報が含まれており、前記演算手段は、前記送信元情報と前記異常状態に関する情報に対応した異常報知指示を前記報知手段に出す。
そのため、利用者は異常状態の発生場所と詳細な異常情報を即座に把握でき、迅速な対応をすることができる。
【００１５】
また、本発明に係るプロジェクタは、ＬＡＮパケットを送信するためのパケット送信手段を備え、前記報知手段として前記送信手段を用い、前記演算手段は、前記異常信号を検出した後、前記入力手段より前記異常状態が回避された旨の入力が一定時間ない場合には、前記パケット送信手段に指示を出し、前記パケット送信手段は、該指示に従い所定の通知パケットをＬＡＮに送信する。
そのため、異常状態に対する利用者の対応がない場合に、外部の受信者へ異常状態を通知することができる。
【００１６】
また、本発明に係るプロジェクタにおいては、前記記憶手段は、前記異常レベルと前記通知パケットの送信先アドレスの関係を示す情報を格納しており、前記演算手段は、前記パケット送信手段に前記通知パケット送信指示を出す際には、前記異常レベルと前記通知パケットの送信先アドレスの関係を示す情報を参照し、該情報に基づき前記パケット送信手段に前記通知パケット送信指示を出す。
そのため、異常レベルと通知パケット送信先との関係をプロジェクタ内に保持でき、異常信号の内容を問わず適切な送信先に通知パケットを送信することができる。
【００１７】
また、本発明に係るプロジェクタにおいては、前記演算手段は、前記入力手段の入力に基づき、前記異常レベルと前記通知パケットの送信先アドレスの関係を示す情報を前記記憶手段に格納する。
そのため、プロジェクタの利用者は外部の受信者を任意に設定することができる。
【００１８】
また、本発明に係るプロジェクタにおいては、前記報知手段は、前記入力手段より前記異常状態が回復された旨の入力があると報知を終了する。
そのため、例えばセンサの誤作動のような場合には、利用者の操作により報知を終了させることができるので、利用者の使い勝手を損うことを防止できる。
【発明を実施するための最良の形態】
【００１９】
実施の形態１．
図１は、本発明の実施の形態１に係るプロジェクタの機能ブロック図である。
図１のプロジェクタは、入力手段１０１、ネットワークインターフェース部１０２、映像信号処理部１０３、ユーザーインターフェース部１０４、検出回路１０５、音声信号処理部１０６（音声再生手段）、画像表示部１０７（映像再生手段）、演算部１０８（演算手段）、オーディオアンプ部１０９、データ記憶部１１０、スピーカー１１１、ランプ１１２、ランプドライバ部１１３、電源回路部１１４、ＬＣＤパネル１１５、投射レンズ１１５ａ、ＡＣプラグ１１６、映像信号入力部１１７、音声信号入力部１１８を備える。
なお、図１は、本実施の形態１に係るプロジェクタを説明するために必要な回路構成のみを図示しており、他の回路構成は省略してある。
【００２０】
入力手段１０１は、例えば図１に示すように、リモコンやプロジェクタ本体部の操作キーとすることができる。
ネットワークインターフェース部１０２は、本実施の形態１に係るプロジェクタにおいては、ＬＡＮインターフェースであるものとする。
映像信号処理部１０３は、演算部１０８の指示を受け、あるいは映像信号入力部１１７より映像信号を受け取り、映像信号に所定の映像処理を施すことにより、表示に適した映像信号を生成する。
ユーザーインターフェース部１０４は、入力手段１０１からの操作信号を処理し、演算部１０８へ伝える。
検出回路１０５は、ネットワークインターフェース部１０２が受信した異常信号を検出して演算部１０８へ伝える。
音声信号処理部１０６は、演算部１０８の指示を受け、あるいは音声信号入力部１１８より音声信号を受け取り、音声信号の処理を行う。
画像表示部１０７は、映像信号処理部１０３の処理結果あるいは演算部１０８の指示を基に、ＬＣＤパネル１１５及び投射レンズ１１５ａを用いて画面出力を行う。
オーディオアンプ部１０９は、音声信号処理部１０６の処理結果あるいは演算部１０８の指示を基に、スピーカー１１１を使用して音声出力を行う。
データ記憶部１１０は、異常レベルに対応した報知方法を記憶している。
ランプ１１２は、光源である。
ランプドライバ部１１３は、演算部１０８の指示を基に、ランプ１１２の制御を行う。
電源回路部１１４は、電力調整等の処理を行う。
ＡＣプラグ１１６は、本実施の形態１に係るプロジェクタに電力を供給する。
本実施の形態１に係るプロジェクタは、音声信号処理部１０６（音声再生手段）又は画像表示部１０７（映像再生手段）を、利用者への異常報知手段として用いるものである。
【００２１】
図２は、家庭内ＬＡＮに接続された本実施の形態１に係るプロジェクタが、センサ設備からの異常信号を受け取るときのフローを説明するものである。
プロジェクタ２０１は、本実施の形態１に係るプロジェクタであり、ルータ２０２を介して家庭内ＬＡＮに接続されている。
ルータ２０２及びルータ２１０は、家庭内ＬＡＮの通信パケットのルーティング処理を行う。
ホームターミナル２０３は、ルータ２０２を介して家庭内ＬＡＮに接続され、さらにはセンサ設備等が接続されており、該センサ設備等からの異常信号を受け付け、家庭内ＬＡＮを介してプロジェクタ２０１に異常信号を送信するものである。
電話２０４、玄関インターホン２０５は、ルータ２０２を介して家庭内ＬＡＮに接続されている。
窓防犯センサー２０６、ガス漏れセンサー２０７及び火災センサ２０８は、ホームターミナル２０３に接続されている。
【００２２】
以下、図２の矢印で記載した処理の流れを説明する。
（１）ホームターミナル２０３に接続された窓防犯センサー２０６が異常検知をすると、窓防犯センサー２０６は、ホームターミナル２０３に異常信号を送信する。
（２）ホームターミナル２０３は、窓防犯センサー２０６が送信した異常信号を受信する。
（３）ホームターミナル２０３は、プロジェクタ２０１に異常信号を送信する。異常信号は、ルータ２０２及びルータ２１０を経由して、プロジェクタ２０１に届けられる。
【００２３】
図３は、図２のフローの内訳を説明するものである。
窓防犯センサー２０６等のセンサ設備が送信する異常信号は、一般には該センサ独自の信号形式である一方、プロジェクタ２０１はネットワークインターフェース部１０２を備え、ネットワーク信号を受信するため、送受信する信号形式が異なる場合がある。このような場合、ホームターミナル２０３がセンサ設備からの信号を一旦受け付け、プロジェクタ２０１が受け付けることのできる信号形式に変換して送信する。
（１）ホームターミナル２０３に接続された窓防犯センサー２０６が異常検知をする。
（１ａ）窓防犯センサー２０６は、独自の信号型式でホームターミナル２０３に異常信号を送信する。異常信号には、異常の度合いを示す異常レベル信号が含まれている。
（２）ホームターミナル２０３は、窓防犯センサー２０６が送信した異常信号を受信する。
（２ａ）ホームターミナル２０３は、ステップ（２）で受信した異常信号を解析する。
（２ｂ）ホームターミナル２０３は、ステップ（３）で解析した異常信号を、プロジェクタ２０１が受け付けることのできる信号形式に変換する。本実施の形態１に係るプロジェクタの場合においては、ＬＡＮパケットの形式に変換する。
（３）ホームターミナル２０３は、ステップ（２ｂ）でＬＡＮパケットの形式に変換した異常信号を、プロジェクタ２０１宛に送信する。
（４）プロジェクタ２０１は、受信したＬＡＮパケット形式の異常信号に基づき、所定の異常処理を行う。なお、詳細は図４で説明する。
【００２４】
図４は、プロジェクタ２０１が異常信号を受信する際の異常処理フローを説明するものである。
（Ｓ４０１）ネットワークインターフェース部１０２が、ホームターミナル２０３が送信したＬＡＮパケット形式の異常信号を受信する。異常信号には、異常の度合いを示す異常レベル信号が含まれている。
検出回路１０５は、ネットワークインターフェース部１０２が受信した信号のうち異常信号に該当する信号を検出し、演算部１０８に伝達する。
（Ｓ４０２）演算部１０８は、画像表示部１０７に指示を出し、プロジェクタの映像再生を一旦停止させる。なお、本ステップは省略するように構成してもよい。
（Ｓ４０３）演算部１０８は、画像表示部１０７に指示を出し、異常状態である旨を画面出力させる。このとき、異常レベルに対応した報知方法は、データ記憶部１１０に固定的に記憶されており、演算部１０８はこれを読み出して画像表示部１０７に指示を出す。
（Ｓ４０４）演算部１０８は、所定時間経過後、利用者が入力手段１０１により異常状態回避の対処がなされた旨の入力があったか否かを判断する。入力があった場合は対処がなされたものとみなし、入力がない場合は未だ対処がなされていないものとみなす。
（Ｓ４０５）演算部１０８が、異常状態回避の対処がなされた旨の入力がなかったとステップＳ４０４にて判断した場合は、演算部１０８は音声信号処理部１０６に指示を出し、警告音を出力させる。その後、再度Ｓ４０４の処理を行う。
（Ｓ４０６）演算部１０８が、異常状態回避の対処がなされた旨の入力があったとステップＳ４０４にて判断した場合は、演算部１０８は画像表示部１０７に指示を出し、異常状態である旨の画面出力を停止し、映像再生を再開する。警告音を出力していた場合は、音声信号処理部１０６に指示を出し、警告音出力を停止させる。
なお、演算部１０８がステップＳ４０２で画面出力を停止させなかった場合は、演算部１０８は異常状態である旨の画面出力の停止のみを行う。
【００２５】
図５〜図７は、図４のステップＳ４０２〜ステップＳ４０３において、画像表示部１０７が異常状態である旨の画面出力を行う際の、実際のプロジェクタ投影画面イメージを説明するものである。
プロジェクタ２０１が受信する異常信号には、異常の度合いを示す異常レベル信号が含まれているため、異常レベルに応じた画面出力方法を取ることが可能である。
【００２６】
図５は、異常レベル信号が示す異常レベルが低い（安全上さほど問題ではない）場合の画面出力方法の一例を示すものである。
異常レベルが低い場合は、利用者が映像音声の視聴を妨げられることを好まないこともあるため、例えば図５に示すように、異常状態である旨を画面端部に小さく報知するようにすることが考えられる。この場合は、利用者が映像の視聴を妨げられないように、図４のステップＳ４０２の処理をスキップするように構成してもよい。
【００２７】
図６は、異常レベル信号が示す異常レベルが中位である（安全上問題がある）場合の画面出力方法の一例を示すものである。
異常レベルが中位である場合は、利用者の映像音声視聴を多少妨げてでも異常状態を報知したほうがよいこともあるため、例えば図６に示すように、異常状態である旨を画面中央に大きく報知することが考えられる。この場合は、利用者の映像の視聴は画面中央の報知により既に妨げられているため、図４のステップＳ４０２の処理はスキップしてもよいし、スキップせずに映像再生を一旦停止してもよい。
【００２８】
図７は、異常レベル信号が示す異常レベルが高位である（危険である）場合の画面出力方法の一例を示すものである。
異常レベルが高位である場合は、利用者に迅速な対応を促すべきであるため、例えば図６に示すように映像の再生を完全に停止し、異常状態である旨を画面中央に大きく報知することが考えられる。この場合は、図４のステップＳ４０２の処理は必ず実行される。
【００２９】
図５〜図７に例示するように、異常状態である旨を画面出力により報知した後は、図４のステップＳ４０４の処理が行われる。
【００３０】
以上のように、本実施の形態１に係るプロジェクタによれば、ＬＡＮを介して受信したセンサ設備からの異常信号に含まれる異常レベル信号に応じた報知方法をとり、異常の度合いに応じて、利用者に適切な対応を促すことができる。
また、警告音出力により、画面から目を離している利用者（睡眠等の場合）にも異常状態を知らせることができる。
【００３１】
実施の形態２．
実施の形態１に係るプロジェクタにおいては、異常レベル信号が示す異常レベルに応じて、画面出力により異常状態である旨を報知することとした。
本発明の実施の形態２に係るプロジェクタにおいては、同一の異常レベル状態が所定時間継続した場合には、より高位の異常レベル状態に推移し、異常状態である旨の報知方法もそれに応じて変化するようにしたものである。
【００３２】
図８は、本実施の形態２に係るプロジェクタの機能ブロック図である。
データ記憶部１１０は、報知方法テーブル１１９及び異常履歴テーブル１２０を格納している。演算部１０８は、報知方法テーブル１１９及び異常履歴テーブル１２０からデータを読み込み、あるいはこれらのテーブルにデータを格納する。
その他の構成は、図８に記載のプロジェクタと同様であるため、説明を省略する。
【００３３】
図９は、本実施の形態２に係るプロジェクタが異常信号を受信する際の異常処理フローを説明するものである。
（Ｓ９０１）ネットワークインターフェース部１０２が、ホームターミナル２０３が送信したＬＡＮパケット形式の異常信号を受信する。異常信号には、異常の度合いを示す異常レベル信号が含まれている。
検出回路１０５は、ネットワークインターフェース部１０２が受信した信号のうち異常信号に該当する信号を検出し、演算部１０８に伝達する。
（Ｓ９０２）演算部１０８は、画像表示部１０７に指示を出し、プロジェクタの映像再生を一旦停止させる。なお、本ステップは省略するように構成してもよい。
（Ｓ９０３）演算部１０８は、データ記憶部１１０より報知方法テーブル１１９を読み込む。報知方法テーブル１１９の構成については、後述の図１０で説明する。
（Ｓ９０４）演算部１０８は、報知方法テーブル１１９より読み込んだ所定の時間、以下のステップを繰り返す。
（Ｓ９０５）演算部１０８は、利用者が入力手段１０１により異常状態回避の対処がなされた旨の入力があったか否かを判断する。入力があった場合は対処がなされたものとみなし、入力がない場合は未だ対処がなされていないものとみなす。
（Ｓ９０６）演算部１０８が、異常状態回避の対処がなされた旨の入力がなかったとステップＳ９０５にて判断した場合は、演算部１０８は映像表示部１０７に指示を出し、報知方法テーブル１１９より読み込んだ所定の方法で、異常状態である旨を報知すべき旨の指示を出す。指示を出す対象は、異常状態である旨を報知する方法により異なる。
なお、本ステップの処理を繰り返し行う際には、異常状態である旨の報知を繰り返して行う必要はなく、前回繰り返し時の報知方法を継続して実施すればよい。
（Ｓ９０７）演算部１０８は、ステップＳ９０５〜ステップＳ９０６の処理を所定の時間繰り返した後、現在の異常レベルが最上位であるか否かを判断する。
（Ｓ９０８）演算部１０８が、現在の異常レベルは最上位でないとステップＳ９０７にて判断した場合には、演算部１０８は次の上位異常レベル状態に推移するものとし、当該上位異常レベルの下でステップＳ９０３以降の処理を再度行う。
（Ｓ９０９）演算部１０８が、現在の異常レベルは最上位であるとステップＳ９０７にて判断した場合には、演算部１０８は現在の最上位異常レベル状態を継続するものとし、最上位異常レベルの下でステップＳ９０３以降の処理を再度行う。
なお、ステップＳ９０９においては、最上位異常レベルが所定時間継続した場合は、最上位異常レベル状態を継続せずに、タイムオーバーであるとしてプロジェクタの異常処理を終了するようにしてもよい。
（Ｓ９１０）演算部１０８が、異常状態回避の対処がなされた旨の入力があったとステップＳ９０５にて判断した場合は、演算部１０８は画像表示部１０７に指示を出し、異常状態である旨の画面出力を停止し、映像再生を再開する。警告音を出力していた場合は、音声信号処理部１０６に指示を出し、警告音出力を停止させる。
なお、演算部１０８がステップＳ９０２で画面出力を停止させなかった場合は、演算部１０８は異常状態である旨の画面出力の停止のみを行う。
【００３４】
図１０は、報知方法テーブル１１９の構成及びデータ例を説明するものである。報知方法テーブル１１９は、異常レベルと、該異常レベルに対応した報知方法との対応関係を格納している。以下、各列について説明する。
「異常レベル」は、異常信号に含まれる異常レベル信号に対応するものである。図１０のデータ例では、「緊急」「警告」「注意」「勧告」の４種類の異常レベルを格納しており、上の行に格納されたデータほど異常レベルが高いものであると想定している。
「報知方法」は、当該異常レベルに対応する、異常状態の報知方法を示すものである。図１０のデータ例では、「画面表示と音声」「画面を停止若しくは消去して表示」「画面端部に小さく表示」「非報知」の４種類の報知方法を格納している。
「推移間隔」は、次の上位異常レベル状態に推移するまでの間隔（秒）を示すものである。図１０のデータ例では、異常レベル「注意」の状態が３０秒間継続すると次の異常レベル「警告」へ、異常レベル「警告」の状態が６０秒間継続すると、次の異常レベル「緊急へ」推移することを示している。
なお、異常レベル「緊急」の「推移間隔」は９０秒となっているが、異常レベル「緊急」は最上位であるため、異常レベル「緊急」の状態が９０秒継続しても現在の最上位異常レベル状態を継続するように構成することもできるし、あるいはタイムオーバーであるとして異常処理を終了するように構成することもできる（図９のステップＳ９０９参照）。
また、「推移間隔」の値が空である場合は、「推移間隔」は無限大であり、次の異常レベル状態に推移することはないものと判断する。
【００３５】
図１１は、報知方法テーブル１１９の設定画面を説明するものである。
報知方法テーブル１１９のデータ値は、固定としてもよいし、図１１のような設定画面で利用者に設定させてもよい。
図１１の設定画面においては、利用者は入力手段１０１を操作し、４つの異常レベル毎に、報知方法を選択肢の中から選ぶことができ、また異常レベル毎の推移間隔も設定することができる。
演算部１０８は、入力手段１０１の入力に基づき、報知方法テーブル１１９に設定値を格納する。
【００３６】
図１２は、異常履歴テーブル１２０の構成を説明するものである。異常履歴テーブル１２０は、過去に異常信号を受信した際の履歴を格納するものである。以下、各列について説明する。
「日時」は、異常信号を受信した日時を示すものである。
「緊急レベル」は、異常信号に含まれる異常レベル信号の内容を示すものである。
「終了理由」は、プロジェクタの異常処理が終了した理由を示すものである。利用者が入力手段１０１により異常状態回避の対処がなされた旨の入力をした場合には「ユーザー処置」が、図９のステップＳ９０９にてタイムオーバーであるとした場合には「タイムオーバー」がセットされる。
なお、異常履歴テーブル１２０は、過去の全ての異常信号受信履歴を格納する必要はなく、所定件数分だけ格納し、所定件数を越えた履歴データは削除するように構成してもよい。
【００３７】
図１３は、異常履歴テーブル１２０のデータ値を画面表示する際の画面イメージを説明するものである。
利用者は、過去の異常履歴を閲覧したい場合は、入力手段１０１を操作する。演算部１０８は入力手段１０１の入力に基づき、異常履歴テーブル１２０のデータ値を読み込み、画像表示部１０７に指示を出して、異常履歴テーブル１２０のデータを画面出力させる。
【００３８】
図１４〜図１５は、異常信号の構成例を説明するものである。
異常信号処理をソフトウェアで実現する場合は、例えば図１４に示すように異常信号の内容を構造体で定義しておくことができる。
「異常レベルコード」は、異常レベル信号に対応するものであり、例えば図１４に示すように整数型で定義することができる。
「送信元情報の文字列サイズ」は、次の「送信元情報」値の文字列サイズをバイト数で示すものである。
「送信元情報」は、例えば「ガス漏れセンサー」「火災センサー」といったような送信元の名称を示す文字列であってもよいし、あるいは送信元機器の家庭内ＬＡＮにおけるＩＰアドレスを示す文字列であってもよい。
「メッセージの文字列サイズ」は、次の「メッセージ」値の文字列サイズをバイト数で示すものである。
「メッセージ」は、送信元からの異常状態に関するメッセージ等を示す文字列である。
【００３９】
なお、上記各値は、一次送信元であるセンサ設備が付与したものでもよいし、ホームターミナル２０３が異常信号の内容を解析してプロトコル変換する際に付与したものでもよい。
【００４０】
図１５は、実際の異常信号パケットのイメージを説明するものである。図１５に示すように、異常信号パケットの長さは図１４の構造体の定義により判明するので、ホームターミナル２０３は図１５のようなＬＡＮパケットを構成することができる。
【００４１】
図１６及び図１７は、図１４〜図１５に示す異常信号に対応した異常状態の報知を画面出力で行う際の、実際の画面イメージ例を示すものである。
図１６の「送信元」に示すように、「送信元情報」の文字列を画面上に出力すれば、どこで異常状態が発生しているのか利用者が即座に判別でき、利用者にとって便宜である。
さらに図１７に示すように、「メッセージ」の文字列を画面上に出力すれば、異常状態の内容等を利用者が即座に判別でき、利用者にとってさらに便宜である。
【００４２】
図１６及び図１７に示す報知方法は、択一的に使用してもよいし、あるいは図１６の状態において利用者が入力手段１０１を操作して詳細情報を見たい旨の入力を行った際に、改めて図１７のような画面を出力するようにしてもよい。
【００４３】
以上のように、本実施の形態２に係るプロジェクタによれば、同一の異常レベル状態で所定時間対応がなされない場合は異常レベルを引き上げ、利用者がより気付きやすい報知方法を取ることにより、利用者に迅速な対応を促す効果がある。
また、異常レベルと報知方法の関係は利用者が任意に設定できるので、例えば家庭内にセンサ設備が少ない利用者、あるいは異常状態が発生し難い環境にある利用者の場合等には、不要に視聴を妨げられないような設定を利用者自らが行うことができる。
【００４４】
実施の形態３．
実施の形態２に係るプロジェクタにおいては、同一の異常レベル状態が所定時間継続した場合には、より高位の異常レベル状態に推移し、異常状態である旨の報知方法もそれに応じて変化するようにした。
本発明の実施の形態３に係るプロジェクタは、異常レベル状態が所定時間継続した場合には、所定の宛先へ通知パケットを送信できるようにしたものである。
【００４５】
図１８は、本実施の形態３に係るプロジェクタの機能ブロック図である。
パケット送信部１２１は、ネットワークインターフェース部１０２を介して、ＬＡＮパケットを送信するものである。
データ記憶部１１０は、通知先テーブル１２２を格納している。
その他の構成は、図８に記載のプロジェクタと同様であるため、説明を省略する。
【００４６】
図１９は、本実施の形態３に係るプロジェクタが異常信号を受信する際の異常処理フローを説明するものである。
（Ｓ１９０１）ネットワークインターフェース部１０２が、ホームターミナル２０３が送信したＬＡＮパケット形式の異常信号を受信する。異常信号には、異常の度合いを示す異常レベル信号が含まれている。
検出回路１０５は、ネットワークインターフェース部１０２が受信した信号のうち異常信号に該当する信号を検出し、演算部１０８に伝達する。
（Ｓ１９０２）演算部１０８は、画像表示部１０７に指示を出し、プロジェクタの映像再生を一旦停止させる。なお、本ステップは省略するように構成してもよい。
（Ｓ１９０３）演算部１０８は、データ記憶部１１０より報知方法テーブル１１９を読み込む。
（Ｓ１９０４）演算部１０８は、報知方法テーブル１１９より読み込んだ所定の時間、以下のステップを繰り返す。
（Ｓ１９０５）演算部１０８は、利用者が入力手段１０１により異常状態回避の対処がなされた旨の入力があったか否かを判断する。入力があった場合は対処がなされたものとみなし、入力がない場合は未だ対処がなされていないものとみなす。
（Ｓ１９０６）演算部１０８が、異常状態回避の対処がなされた旨の入力がなかったとステップＳ１９０５にて判断した場合は、演算部１０８は映像表示部１０７に指示を出し、報知方法テーブル１１９より読み込んだ所定の方法で、異常状態である旨を報知すべき旨の指示を出す。指示を出す対象は、異常状態である旨を報知する方法により異なる。
なお、本ステップの処理を繰り返し行う際には、異常状態である旨の報知を繰り返して行う必要はなく、前回繰り返し時の報知方法を継続して実施すればよい。
（Ｓ１９０７）演算部１０８は、ステップＳ１９０５〜ステップＳ１９０６の処理を所定の時間繰り返した後、現在の異常レベルが最上位であるか否かを判断する。
（Ｓ１９０８）演算部１０８が、現在の異常レベルは最上位でないとステップＳ１９０７にて判断した場合には、演算部１０８は次の上位異常レベル状態に推移するものとし、当該上位異常レベルの下でステップＳ９０３以降の処理を再度行う。
（Ｓ１９０９）演算部１０８が、現在の異常レベルは最上位であるとステップＳ１９０７にて判断した場合には、演算部１０８はパケット送信部１２１に指示を出し、所定の宛先に通知パケットを送信させる。
【００４７】
なお、ステップＳ１９０９において、最上位の異常レベルの場合のみ通知パケットを送信することとしているが、これに限るものでなく、下位の異常レベルでも通知パケットを送るように構成してもよい。
また、ステップＳ１９０９で送信する通知パケットは、任意のＬＡＮパケットとすることができるが、家庭内ＬＡＮにメールサーバーを設置している場合は、当該メールサーバーにＳＭＴＰプロトコルのパケットを送信することにより、外部の宛先へＥ−Ｍａｉｌとして通知パケットを送信することも可能である。
以下、通知パケットとしてＳＭＴＰプロトコルのパケット（Ｅ−Ｍａｉｌ）を送信するものとして説明を行う。
【００４８】
図２０は、家庭内ＬＡＮに接続された本実施の形態３に係るプロジェクタが、通知パケットとして所定の宛先へＥ−Ｍａｉｌを送信する際のフローを説明するものである。
ホームターミナル２０３は、送信メールサーバーの機能を備えているものと仮定する。
インターネット接続装置２０９は、家庭内ＬＡＮをインターネットと接続するためのものである。
コンピュータ２１２と携帯電話２１３は、インターネット２１１を介してＥ−Ｍａｉｌを受信できる外部端末である。
その他の構成は図２と同様であるため、説明を省略する。
【００４９】
以下、図２０の矢印で記載した処理の流れを説明する。
（１）プロジェクタ２０１は、図１９のステップＳ１９０９において、所定の宛先へＥ−Ｍａｉｌを送信する。
（２）ホームターミナル２０３は、プロジェクタ２０１が送信したＥ−Ｍａｉｌパケットを受け付け、インターネット接続装置２０９へ転送する。
（３）インターネット接続装置２０９は、Ｅ−Ｍａｉｌの宛先へ向けて、転送されてＥ−Ｍａｉｌパケットをインターネット２１１に送り出す。
（４）Ｅ−Ｍａｉｌの宛先では、コンピュータ２１２や携帯電話２１３を使用して、Ｅ−Ｍａｉｌを受信する。これにより、外部者が異常状態を認識できるので、プロジェクタ２０１の利用者が睡眠中である等の事情により異常状態に気付かない場合にも、外部者による対応が可能である。
【００５０】
図２１は、通知先テーブル１２２の構成を説明するものである。以下、各列について説明する。
「異常レベル」は、異常信号に含まれる異常レベル信号に対応するものである。
「通知先アドレス」は、通知パケットの宛先を示すものであり、Ｅ−Ｍａｉｌの場合はメールアドレスが格納される。Ｅ−Ｍａｉｌを使用せず、例えば図１５に示すようなＬＡＮパケットを通知パケットとして送信する場合は、本値は宛先のＩＰアドレス等とすることができる。
【００５１】
図２２は、通知先テーブル１２２の設定画面を説明するものである。
通知先テーブル１２２のデータ値は、固定としてもよいし、図２２のような設定画面で利用者に設定させてもよい。
図２２の設定画面においては、利用者は入力手段１０１を操作し、異常レベル毎に通知先アドレスを設定することができる。
演算部１０８は、入力手段１０１の入力に基づき、通知先テーブル１２２に設定値を格納する。
【００５２】
なお、「緊急」以外の異常レベルについて通知先アドレスが設定されている場合には、図１９のステップＳ１９０９において、最高位の異常レベル状態でなくても通知パケットを送信するようにしてもよい。
また、同一の異常レベルに対し複数の通知先アドレスが設定されている場合は、それぞれの通知先アドレスに対し通知パケットを送信するようにしてもよい。
【００５３】
図２３は、通知パケットとして送信されるＥ−Ｍａｉｌの実際のイメージを示すものである。
「送信者」欄は、任意の値をセットすればよいが、プロジェクタ２０１から送信されたことが一目でわかるような値とすれば、Ｅ−Ｍａｉｌ受信者にとって便宜である。
「日時」欄は、プロジェクタ２０１がＥ−Ｍａｉｌを送信した日時がセットされる。
「宛先」欄は、本Ｅ−Ｍａｉｌの受信者のメールアドレスであり、通知先テーブル１２２に格納されているものである。
「件名」欄は、任意の値をセットすればよいが、プロジェクタ２０１から送信されたことが一目でわかるような値とすれば、Ｅ−Ｍａｉｌ受信者にとって便宜である。
メール本文は、利用者が入力したものではなく、プロジェクタ２０１が自動生成するものであるため、例えば異常信号に含まれる「送信元情報」「メッセージ」（図１４参照）を含めるようにすればよい。
【００５４】
図２４は、プロジェクタ２０１がＳＭＴＰプロトコルを用いて、通知パケットとして図２３に示すＥ−Ｍａｉｌを送信する際のシーケンスを説明するものである。
プロジェクタ２０１がＳＭＴＰプロトコルを用いてＥ−Ｍａｉｌを送信する際には、特別なＥ−Ｍａｉｌクライアントは不要であり、例えばＴＣＰプロトコルの２５番ポートで送信メールサーバー（本実施の形態３においてはホームターミナル２０３）に接続し、以下の手順でパケットを送信すればよい。
なお、実際の送信パケットのＳＭＴＰコマンド部分は全て半角英数字記号が使用されるが、以下では記載の都合上、全角英数字記号を使用する。また、＜ＣＲＬＦ＞はキャリッジリターン（ＣＲ）とラインフィード（ＬＦ）を示している。
（１）プロジェクタ２０１は、ホームターミナル２０３に対し、以下の文字列パケットを送信する。
【表１】
2007226006.tif 000003
（２）ホームターミナル２０３は、プロジェクタ２０１に以下の文字列パケットを返信する。
【表２】
2007226006.tif 000004
（３）プロジェクタ２０１は、ホームターミナル２０３に対し、以下の文字列パケットを送信する。
【表３】
2007226006.tif 000005
（４）ホームターミナル２０３は、プロジェクタ２０１に以下の文字列パケットを返信する。
【表４】
2007226006.tif 000006
（５）プロジェクタ２０１は、ホームターミナル２０３に対し、以下の文字列パケットを送信する。
【表５】
2007226006.tif 000007
（６）ホームターミナル２０３は、プロジェクタ２０１に以下の文字列パケットを返信する。
【表６】
2007226006.tif 000008
（７）プロジェクタ２０１は、ホームターミナル２０３に対し、以下の文字列パケットを送信する。
【表７】
2007226006.tif 000009
（８）ホームターミナル２０３は、プロジェクタ２０１に以下の文字列パケットを返信する。
【表８】
2007226006.tif 000010
（９）プロジェクタ２０１は、ホームターミナル２０３に対し、以下の文字列パケットを送信する。
【表９】
2007226006.tif 000011
（１０）ホームターミナル２０３は、プロジェクタ２０１に以下の文字列パケットを返信する。
【表１０】
2007226006.tif 000012
（１１）プロジェクタ２０１は、ホームターミナル２０３に対し、以下の文字列パケットを送信する。
【表１１】
2007226006.tif 000013
（１２）ホームターミナル２０３は、プロジェクタ２０１に以下のパケットを文字列返信する。
【表１２】
2007226006.tif 000014
【００５５】
このように、プロジェクタ２０１は簡単な文字列パケットを送信メールサーバー（ホームターミナル２０３）に送付することで、外部にＥ−Ｍａｉｌを送信することができる。
【００５６】
図２５は、本実施の形態３に係るプロジェクタの別の使用態様を説明するものである。
プロジェクタ２０１は、ネットワークインターフェース部１０２により、任意のＬＡＮパケットを受信できるように構成することができるので、インターネットを介して家庭内ＬＡＮにＬＡＮパケットを送信することができれば、これをプロジェクタ２０１に転送することにより、インターネットより送信したメッセージを、プロジェクタ２０１の利用者に知らせることができる。
【００５７】
以下、図２５の矢印で示すフローを説明する。
（１）外部のコンピュータ２１２や携帯電話２１３の利用者は、インターネット接続装置２０９を介して家庭内ＬＡＮに接続し、プロジェクタ２０１の利用者に宛てた連絡事項を送信する。
（２）インターネット接続装置２０９は、連絡事項をホームターミナル２０３に転送する。
（３）ホームターミナル２０３は、インターネット接続装置２０９より転送された連絡事項を、プロジェクタ２０１に送信する。このときの送信パケットの形式は、異常信号と同一の形式となるようにする。
【００５８】
このようにすることで、例えば勤務先から在宅者に宛てて、「今日は〇〇時頃に帰る」「傘を忘れたので迎えにきてくれ」などといったメッセージを送り、プロジェクタ２０１の報知手段をもって利用者に報知することが可能になる。
もっとも、任意の送信者が家庭内ＬＡＮに接続することはセキュリティ上好ましくないので、別途認証手段は必要である。プロジェクタ２０１は、パケット送信者が認証済みであることを前提に報知を行えばよい。
【００５９】
以上のように、本実施の形態３に係るプロジェクタによれば、異常状態のＥ−Ｍａｉｌによる外部通知先を設定することができ、利用者が異常状態に気付かない、あるいは対応することができない（気絶状態にある場合等）ような場合には、外部の受信者に異常状態を知らせることができ、安全性がさらに高まる。
【図面の簡単な説明】
【００６０】
【図１】本発明の実施の形態１に係るプロジェクタの機能ブロック図である。
【図２】センサ設備からの異常信号を受け取るときのフローを説明するものである。
【図３】図２のフローの内訳を説明するものである。
【図４】異常信号を受信する際の異常処理フローを説明するものである。
【図５】異常レベルが低い場合の画面出力方法の一例を示すものである。
【図６】異常レベルが中位である場合の画面出力方法の一例を示すものである。
【図７】異常レベルが高位である場合の画面出力方法の一例を示すものである。
【図８】実施の形態２に係るプロジェクタの機能ブロック図である。
【図９】異常信号を受信する際の異常処理フローを説明するものである。
【図１０】報知方法テーブル１１９の構成及びデータ例を説明するものである。
【図１１】報知方法テーブル１１９の設定画面を説明するものである。
【図１２】異常履歴テーブル１２０の構成を説明するものである。
【図１３】異常履歴テーブル１２０を画面表示イメージを説明するものである。
【図１４】異常信号の構成例を説明するものである。
【図１５】実際の異常信号パケットのイメージを説明するものである。
【図１６】異常状態の報知を画面出力で行う際の画面イメージを示すものである。
【図１７】異常状態の報知を画面出力で行う際の画面イメージを示すものである。
【図１８】実施の形態３に係るプロジェクタの機能ブロック図である。
【図１９】異常信号を受信する際の異常処理フローを説明するものである。
【図２０】所定の宛先へＥ−Ｍａｉｌを送信する際のフローである。
【図２１】通知先テーブル１２２の構成を説明するものである。
【図２２】通知先テーブル１２２の設定画面を説明するものである。
【図２３】Ｅ−Ｍａｉｌの実際のイメージを示すものである。
【図２４】Ｅ−Ｍａｉｌを送信する際のシーケンスを説明するものである。
【図２５】実施の形態３に係るプロジェクタの使用態様を説明するものである。
【符号の説明】
【００６１】
１０１  入力手段、１０２  ネットワークインターフェース部、１０３  映像信号処理部、１０４  ユーザーインターフェース部、１０５  検出回路、１０６  音声信号処理部、１０７  画像表示部、１０８  演算部、１０９  オーディオアンプ部、１１０  データ記憶部、１１１  スピーカー、１１２  ランプ、１１３  ランプドライバ部、１１４  電源回路部、１１５  ＬＣＤパネル、１１５ａ  投射レンズ、１１６  ＡＣプラグ、１１７  映像信号入力部、１１８  音声信号入力部、１１９  報知方法テーブル、１２０  異常履歴テーブル、１２１  パケット送信部、１２２  通知先テーブル、２０１  プロジェクタ、２０２  ルータ、２０３  ホームターミナル、２０４  電話、２０５  玄関インターホン、２０６  窓防犯センサー、２０７  ガス漏れセンサー、２０８  火災センサ、２０９  インターネット接続装置、２１０  ルータ、２１１  インターネット、２１２  コンピュータ、２１３  携帯電話。
【図１】
2007226006.tif 000015
【図２】
2007226006.tif 000016
【図３】
2007226006.tif 000017
【図４】
2007226006.tif 000018
【図５】
2007226006.tif 000019
【図６】
2007226006.tif 000020
【図７】
2007226006.tif 000021
【図８】
2007226006.tif 000022
【図９】
2007226006.tif 000023
【図１０】
2007226006.tif 000024
【図１１】
2007226006.tif 000025
【図１２】
2007226006.tif 000026
【図１３】
2007226006.tif 000027
【図１４】
2007226006.tif 000028
【図１５】
2007226006.tif 000029
【図１６】
2007226006.tif 000030
【図１７】
2007226006.tif 000031
【図１８】
2007226006.tif 000032
【図１９】
2007226006.tif 000033
【図２０】
2007226006.tif 000034
【図２１】
2007226006.tif 000035
【図２２】
2007226006.tif 000036
【図２３】
2007226006.tif 000037
【図２４】
2007226006.tif 000038
【図２５】
2007226006.tif 000039